(57)【要約】      （修正有）【課題】除細動器を用いない場合でも心臓マッサージの開始からの時間経過及び薬剤投与からの時間経過を表示することができ、これらの情報を共有することができる心臓マッサージのタイマ装置を提供する。【解決手段】心臓マッサージのタイマ装置１は、心臓マッサージを行った場合に生じる情報を検知可能な検知部２と、前記検知部の検知した情報に基づいて心臓マッサージの開始を判別可能な制御部５１と、少なくとも前記制御部が心臓マッサージの開始を判別した場合に、当該心臓マッサージの開始からの時間経過を表示可能な表示部３と、少なくとも昇圧剤の投与があった場合に入力を受け付けるスタート情報入力部４２と、を備える心臓マッサージのタイマ装置であって、前記表示部は、心臓マッサージの開始からの時間経過を表示可能な第１の表示領域と、前記スタート情報入力部の入力からの時間経過を表示可能な第２の表示領域を含む。【選択図】図１
2015051222.tif 000002
【特許請求の範囲】
【請求項１】
心臓マッサージを行った場合に生じる情報を検知可能な検知部と、
前記検知部の検知した情報に基づいて心臓マッサージの開始を判別可能な制御部と、
少なくとも前記制御部が心臓マッサージの開始を判別した場合に、当該心臓マッサージの開始からの時間経過を表示可能な表示部と、
少なくとも昇圧剤の投与があった場合に入力を受け付けるスタート情報入力部を有する入力部と、
を備える心臓マッサージのタイマ装置であって、
前記表示部は、心臓マッサージの開始からの時間経過を表示可能な第１の表示領域と、前記スタート情報入力部の入力からの時間経過を表示可能な第２の表示領域を含むことを特徴とする心臓マッサージのタイマ装置。
【請求項２】
少なくとも「ＡＳＹＳ」又は「ＰＥＡ」の判定情報の入力を受け付ける判定情報入力部と、
前記判定情報、及び当該判定情報が入力された時刻を含む履歴情報を記憶する記憶部と、を更に備え、
前記制御部は、前記入力部に前期履歴情報を表示すべき旨の情報の入力が合った場合に、前記記憶部に記憶されている前記履歴情報を前記表示部に表示することを特徴とする請求項１に記載の心臓マッサージのタイマ装置。
【請求項３】
心電図計から少なくとも心静止であるか否かの情報の入力を受け付ける心電図情報入力手段と、
所定の情報を記憶する記憶部と、を更に備え、
前記制御部は、前記第１の表示領域に表示した時間経過がリセットされ、且つ、前記検知部の検知した情報に基づいて新たに心臓マッサージの開始を判別したとき、前記心電図情報入力手段が受け付けた前記心電図情報が、心静止であるか否かを判断し、
前記心電図情報が心静止であると判断した場合には、当該判断をした時刻とともに「ＡＳＹＳ」の情報を前記記憶部に記憶させ、
前記心電図情報が、心静止でない場合には、当該判断をした時刻とともに「ＰＥＡ」の情報を前記記憶部に記憶させることを特徴とする請求項１に記載の心臓マッサージのタイマ装置。
【請求項４】
前記検知部は、心臓マッサージにおける振動を検知する振動センサ、心臓マッサージにおける圧力変化を検知する圧力センサ、又は心臓マッサージを行う救助者の動きを検知する画像センサであることを特徴とする請求項１から請求項３のいずれかに記載の心臓マッサージのタイマ装置。
【発明の詳細な説明】
【技術分野】
【０００１】
本発明は、心臓マッサージの経過時間を報知するタイマ装置に関し、特に、病院など設備の整った環境で、医師などの有資格者により行われる二次救命措置の際に行われる心臓マッサージのタイマ装置に関する。
【背景技術】
【０００２】
心肺蘇生法の一環として行われる心臓マッサージは、２分間隔で行われ、そのインターバルの間に頚動脈の脈拍及び心電図の波形がチェックされる。そして、頚動脈の脈拍及び心電図の波形チェックの結果が、心静止(asystole，以下「ＡＳＹＳ」という)又は無脈性電気活動(pulseless electrical activity，以下「ＰＥＡ」という)を示す場合は、心臓マッサージを再開する。
【０００３】
一方、心臓マッサージのインターバルの間に行われる頚動脈の脈拍及び心電図の波形がチェックの結果が、心室細動（Ventricular fibrillation，以下「ＶＦ」という）や心室頻拍（Ventricular Tachycardia，以下「ＶＴ」という）の場合は、除細動器を用いて電気的な刺激を与えた上で、心臓マッサージを２分間実施し、以降２分毎にチェック及び電気ショックを繰り返す。
【０００４】
心臓マッサージは、少なくとも５ｃｍ以上の深さで１分当り１００回以上の速さで継続的に強く胸骨を圧迫する必要があり、救助者の疲労によって圧迫回数や深度を維持できなくなることを防ぐために、複数人で交代しながら行うことが望ましい（非特許文献１参照）。
【０００５】
従来よりこれらの脈拍及び心電図波形のチェックを行うタイミングを知るために、病院の救急救命センターのような設備の整った施設においても、例えばキッチンタイマーのように、カウントダウン式のタイマーで計測しており、看護師が心臓マッサージの開始時に２分間をセットしてスタートさせていた。
【０００６】
また、心臓マッサージと並行して、例えば３分間隔でアドレナリンなどの昇圧剤の投与が行われており、心臓マッサージの間隔を計測するキッチンタイマーとは別に昇圧剤の投与間隔計測用のキッチンタイマーが用いられており、看護師が昇圧剤の投与がある毎に、３分間をセットしてスタートさせていた。
【０００７】
近年では、自動体外式除細動器（Automated External Defibrillator，以下「ＡＥＤ」という）が普及してきており、このＡＥＤのディスプレイに心電図波形等の情報とともに、センサによって検知した心臓マッサージの開始からの時間経過を表示する点が提案されている（特許文献１及び特許文献２参照）。
【先行技術文献】
【特許文献】
【０００８】
【特許文献１】特開２０１２−５１７８６６号公報
【特許文献２】特表２０１０−５１５５４６号公報
【非特許文献】
【０００９】
【非特許文献１】ＪＲＣ蘇生ガイドライン２０１０  日本蘇生協議会(著),  日本救急医療財団(著)
【発明の概要】
【発明が解決しようとする課題】
【００１０】
しかし、キッチンタイマーで心臓マッサージの経過時間を計測する場合、キッチンタイマーのスタート忘れによって心臓マッサージの経過時間が不明となる問題がある。また、キッチンタイマーでは、心臓マッサージを行っている途中に経過時間を確認することが困難であるので、心臓マッサージを行っている者が疲労感を覚えても、直ぐに交代すべきか、２分間経過後に交代すべきかの判断ができない。
【００１１】
また、特許文献１及び特許文献２のようにＡＥＤ等の除細動器のディスプレイに心臓マッサージの開始からの時間経過を表示するものは、ＡＳＹＳやＰＥＡのように、除細動器を用いないで治療する場合には適用することができない。また、アドレナリンなどの薬剤投与からの時間経過については、別途、キッチンタイマーなどで管理する必要があり、管理が煩雑になる。
【００１２】
そこで、本発明は、除細動器を用いない場合でもキッチンタイマーのスタートのような人為的な作業を必要とせずに、心臓マッサージの開始からの時間経過を表示することができるとともに、薬剤投与からの時間経過についても表示することができ、これらの時間経過の情報を治療を行っている者全員で共有することができる心臓マッサージのタイマ装置を提供することを目的とする。
【課題を解決するための手段】
【００１３】
請求項１に記載の心臓マッサージのタイマ装置は、心臓マッサージを行った場合に生じる情報を検知可能な検知部と、前記検知部の検知した情報に基づいて心臓マッサージの開始を判別可能な制御部と、少なくとも前記制御部が心臓マッサージの開始を判別した場合に、当該心臓マッサージの開始からの時間経過を表示可能な表示部と、少なくとも昇圧剤の投与があった場合に入力を受け付けるスタート情報入力部を有する入力部と、を備える心臓マッサージのタイマ装置であって、前記表示部は、心臓マッサージの開始からの時間経過を表示可能な第１の表示領域と、前記スタート情報入力部の入力からの時間経過を表示可能な第２の表示領域を含むことを特徴としている。
【００１４】
請求項２に記載の心臓マッサージのタイマ装置は、少なくとも「ＡＳＹＳ」又は「ＰＥＡ」の判定情報の入力を受け付ける判定情報入力部と、前記判定情報、及び当該判定情報が入力された時刻を含む履歴情報を記憶する記憶部と、を更に備え、前記制御部は、前記入力部に前期履歴情報を表示すべき旨の情報の入力が合った場合に、前記記憶部に記憶されている前記履歴情報を前記表示部に表示することを特徴としている。
【００１５】
請求項３に記載の心臓マッサージのタイマ装置は、心電図計から少なくとも心静止であるか否かの情報の入力を受け付ける心電図情報入力手段と、所定の情報を記憶する記憶部と、を更に備え、前記制御部は、前記第１の表示領域に表示した時間経過がリセットされ、且つ、前記検知部の検知した情報に基づいて新たに心臓マッサージの開始を判別したとき、前記心電図情報入力手段が受け付けた前記心電図情報が、心静止であるか否かを判断し、前記心電図情報が心静止であると判断した場合には、当該判断をした時刻とともに「ＡＳＹＳ」の情報を前記記憶部に記憶させ、前記心電図情報が、心静止でない場合には、当該判断をした時刻とともに「ＰＥＡ」の情報を前記記憶部に記憶させることを特徴としている。
【００１６】
請求項４に記載の心臓マッサージのタイマ装置は、前記検知部は、心臓マッサージにおける振動を検知する振動センサ、心臓マッサージにおける圧力変化を検知する圧力センサ、又は心臓マッサージを行う救助者の動きを検知する画像センサであることを特徴としている。
【発明の効果】
【００１７】
請求項１に記載の心臓マッサージのタイマ装置によると、心臓マッサージを行った場合に生じる情報を検知部が検知し、その情報に基づいて制御部が心臓マッサージの開始を判別し、心臓マッサージの開始を判別した場合に、当該心臓マッサージの開始からの時間経過を表示部に表示するので、人為的な動作を必要とせずに心臓マッサージの開始からの時間経過を計測でき、看護師の負担を減らすことができるとともに、スタート忘れによって、心臓マッサージの開始からの時間経過が計測できていない状況を防止できる。また、表示部は、心臓マッサージの開始からの時間経過を表示可能な第１の表示領域と、昇圧剤の投与があった場合に入力されるスタート情報入力部の入力からの時間経過を表示可能な第２の表示領域を含むので、第１の表示領域に心臓マッサージの開始からの時間経過を表示するとともに、第２の表示領域に、昇圧剤の投与からの時間経過を表示することができるので、表示部を視認することで、容易に２つの時間経過を確認することができ、これらの時間経過の情報を治療を行っている者全員で共有することができる。
【００１８】
請求項２に記載の心臓マッサージのタイマ装置によると、「ＡＳＹＳ」又は「ＰＥＡ」の判定情報の入力を受け付ける判定情報入力部を備えているので、患者の状態が「ＡＳＹＳ」であるか「ＰＥＡ」であるかの情報を、簡単に記録することができ、また、「ＡＳＹＳ」又は「ＰＥＡ」の履歴を簡単に確認することができる。
【００１９】
なお、ここで、「ＡＳＹＳ」は、心静止（Asystole）のことであり、心電図はフラットとなり、心臓は電気的に活動していない状態をいい、また、「ＰＥＡ」は、無脈性電気活動（pulseless electrical activity）のことであり、心電図上収縮波形はみられるが、拍出が触知できない状態をいう。
【００２０】
請求項３に記載の心臓マッサージのタイマ装置によると、制御部は、第１の表示領域に表示した時間経過がリセットされた後に、新たに心臓マッサージの開始を判別した場合に、心電図情報入力手段が受け付けた心電図情報が、心静止である場合には、当該時刻とともに「ＡＳＹＳ」の情報を記憶部に記憶させ、心電図情報が、心静止でない場合には、当該時刻とともに「ＰＥＡ」の情報を記憶させるので、人為的に「ＡＳＹＳ」又は「ＰＥＡ」の別を入力することなく履歴情報を記憶することができ、看護師の負担を減らすことができるとともに、記録し忘れによって履歴情報が不明になる状況を防止できる。特に心静止は心電図情報がフラットになるため複雑な情報処理をすることなく、心静止と判断することができ、心静止でない場合に除細動でなく心臓マッサージを開始する場合は、ＰＥＡであるので、「ＡＳＹＳ」又は「ＰＥＡ」の履歴情報を正確に記憶することができる。
【００２１】
請求項４に記載の心臓マッサージのタイマ装置によると、検知部が心臓マッサージにおける振動を検知する振動センサ、心臓マッサージにおける圧力変化を検知する圧力センサ、又は心臓マッサージを行う救助者の動きを検知する画像センサであり、制御部はこれらの情報を用いて心臓マッサージの開始を判別することができる。
【図面の簡単な説明】
【００２２】
【図１】第１の実施形態の心臓マッサージのタイマ装置の構成を示すブロック図。
【図２】表示部の構成を示す概略正面図。
【図３】コントローラの構成を示す概略正面図。
【図４】第１表示領域カウントダウン処理のルーチンを示すフロー図。
【図５】第２表示領域カウントダウン処理のルーチンを示すフロー図。
【図６】第１の実施形態の履歴情報記憶処理のルーチンを示すフロー図。
【図７】「ＰＥＡ」の履歴情報を表示部に表示した状態を示す概略正面図。
【図８】「ＡＳＹＳ」の履歴情報を表示部に表示した状態を示す概略正面図。
【図９】第２の実施形態の心臓マッサージのタイマ装置の構成を示すブロック図。
【図１０】第２の実施形態の履歴情報記憶処理のルーチンを示すフロー図。
【発明を実施するための形態】
【００２３】
〔第１の実施形態〕
以下、本発明の心臓マッサージのタイマ装置の第１の実施形態について、図１から図８を参照しつつ説明する。本実施形態の心臓マッサージのタイマ装置１は、図１に示すように、心臓マッサージを行った場合に生じる情報を検知可能な検知部２と、心臓マッサージの開始からの時間経過を表示可能な第１の表示領域３１と、昇圧剤の投与があってからの時間経過を表示可能な第２の表示領域３２を含む表示部３と、外部から各種の入力を受け付けるコントローラ４と、検知部２及びコントローラ４からの入力に基づいて表示部３における表示を制御する本体５とを備えている。
【００２４】
検知部２は、心臓マッサージを行った場合に生じる情報を検知するセンサであり、当該情報をネットワーク６を介して接続されている本体５に送信するものである。なお、検知部２と本体５との接続はネットワーク６を介するものに限定されず、直接通信ケーブルによって互いに接続されているものや検知部２と本体５とが同一の筐体内に収められ、内部のバスによって接続されているものであってもよい。
【００２５】
検知部２の具体例として、例えば、心臓マッサージにおける振動を検知する振動センサが挙げられる。振動センサは心臓マッサージを行う患者が横たわる図示しない寝台に取り付けられ当該寝台の振動を検知することにより、心臓マッサージの開始を判別できるものである。また、検知部２の別の具体例として、心臓マッサージにおける圧力変化を検知する圧力センサが挙げられる。圧力センサは例えば患者が横たわる寝台又はシーツなどの上に載置される例えばシート状の圧力センサや患者の胸骨上に載置するセンサであって、医師などの心臓マッサージをする救助者が患者の胸骨を圧迫することにより、変化する圧力を検知するものである。さらにまた、検知部２の別の具体例として、心臓マッサージを行う救助者の動きを検知する画像センサが挙げられる。画像センサは、予め心臓マッサージを行う救助者の動きを記憶しておき、カメラによって患者の上の空間を撮影して、当該カメラが撮影した映像に予め記憶した心臓マッサージを行う救助者の動きのパターン情報と同じパターンの動きを検出するものである。なお、検知部２は上に列挙した振動センサ、圧力センサ、及び画像センサに限定されるものではなく、心臓マッサージを開始したことを制御部５１が判別できる情報を提供するものであれば如何なる構成であってもよい。
【００２６】
表示部３は、図２に示すように、現在の日時を表示する日時表示領域３３、心臓マッサージの開始からの時間経過を表示可能な第１の表示領域３１と、昇圧剤の投与があってからの時間経過を表示可能な第２の表示領域３２、これらの表示領域３１，３２，３３の表示を操作する操作部３４、及びエラーなどを表示するエラー報知領域３５を有している。
【００２７】
日時表示領域３３、第１の表示領域３１、及び第２の表示領域３２は、それぞれ７セグメントディスプレイの組合せにより構成されている。具体的には、日時表示領域３３の上側には左側に４桁で、西暦の年を表示し、右側に２桁づつの月日を表示するとともに、日時表示領域３３の下側には、２桁づつで左側から時分秒をそれぞれ表示するように７セグメントディスプレイが配置されている。また、第１の表示領域３１及び第２の表示領域３２には、左右それぞれ２桁づつの表示が可能に７セグメントディスプレイが配置されており、分と秒とを表示可能に構成している。本実施形態においては、第１の表示領域３１は２分間をカウントダウンで表示し、第２の表示領域３２は３分間をカウントダウンで表示することにより時間経過を表示するが、操作部３４を操作することによりカウントダウンする時間は増減させることができる。
【００２８】
なお、第１の表示領域３１及び第２の表示領域３２はこれに限定されるものではなく、液晶ディスプレイ、プラズマディスプレイ、ＣＲＴ、ドットマトリクス表示装置、機械式の表示装置など、少なくとも時間などの情報を表示できる装置であればよい。また、心電図計７のディスプレイの一部の領域を第１の表示領域３１及び第２の表示領域３２として表示制御するものであってもよい。
【００２９】
また、第１の表示領域３１及び第２の表示領域３２は、分と秒とを分けた数字の組合せによって時間経過を表示するものに限定されるものではなく、例えば３桁の秒を示す数字によって時間経過を表示するものや時間経過によって棒グラフが増加する表示や時間経過によって針が周回する表示などのようなグラフィカルな表示によって時間経過を表示するもの又はこれらの組合せであってもよい。第１の表示領域３１及び第２の表示領域３２は、数字により時間経過を表示する場合であっても、カウントダウンに限定されずカウントアップするものであってもよい。
【００３０】
操作部３４は、円柱状の回転する３つの操作素子からなり、それぞれの操作素子を回転させることにより、時刻を合わせや第１の表示領域３１及び第２の表示領域３２のカウントを調節することができる。また、エラー報知領域３５は、例えば複数の色に発光可能なＬＥＤにより構成されており、発光する色や点灯・点滅・消灯の区別などによって、「ＡＳＹＳ」「ＰＥＡ」などの情報入力漏れやリセット忘れなどの状態を警告することができるものである。なお、エラー報知領域３５は、発光によってエラー状態を報知するものに限られず、例えばブザーなどの音声によってエラー状態を報知するものであってもよい。
【００３１】
コントローラ４は、図１及び図３に示すように、本体５との間で無線通信可能な無線送信部４１と、各種の入力を受け付ける入力部４２とを備えている。また、入力部４２には、昇圧剤の投与があった場合に入力を受け付け、第２の表示領域３２に３分間のカウントダウン表示を開始するスタートボタン４２ａ（スタート情報入力部）、第２の表示領域３２のカウントダウンをストップするストップボタン４２ｂ、第２の表示領域３２の表示をリセットする第２リセットボタン４２ｃ、第１の表示領域３１の表示をリセットする第１リセットボタン４２ｄ、「ＡＳＹＳ」又は「ＰＥＡ」の判定情報の入力を受け付ける判定情報入力部４２ｅ、過去に判定した「ＡＳＹＳ」及び「ＰＥＡ」の情報及びその時刻からなる履歴情報を表示すべき旨の情報の入力を受け付ける履歴要求ボタン４２ｆが設けられている。
【００３２】
本体５は、検知部２及びコントローラ４から得られた情報に基づいて、表示部３の表示を制御する制御部５１と、制御部５１が実行する各種情報処理のためのプログラムや履歴情報などの情報を記憶する記憶部５２と、第１の表示領域３１及び第２の表示領域３２に表示した時間経過が予め設定されている時間を経過した場合に報知する報知部５３と、ネットワーク６に接続されるインターフェース５４と、コントローラ４に設けられた無線送信部４１から情報を受け取る無線受信部５５と、をバス５６により接続して構成されている。
【００３３】
制御部５１は、例えば、ＣＰＵ（Central Processing Unit）であり、検知部２及びコントローラ４から情報を受け取って各種の情報処理を行う。制御部５１は、表示部３の表示を制御する他、表示部３のエラー報知領域３５を制御し、また、本体５の報知部５３を制御して、機器の状態を外部に報知する制御も行う。なお、本発明において制御部５１は、検知部２及びコントローラ４から得られた情報に基づいて、表示部３を制御することができればよいので、そのような機能を有するプログラムをインストールすることで、市販のパソコン又は他の装置のＣＰＵを本発明の制御部５１として機能させることができる。
【００３４】
制御部５１は、検知部２から検知した情報に基づいて、心臓マッサージの開始を判別する。すなわち、検知部２が振動センサである場合は、心臓マッサージをした場合に発生する振動パターンの範囲をパターン情報として記憶部５２に記憶させておき、検知部２が検知した振動が当該振動パターンの範囲に入るか否かを判別することにより、心臓マッサージの開始を判別する。また、検知部２が圧力センサである場合は、心臓マッサージをした場合に発生する圧力変化パターンの範囲をパターン情報として記憶部５２に記憶させておき、検知部２が検知した圧力変化が当該圧力変化パターンの範囲に入るか否かを判別することにより、心臓マッサージの開始を判別する。また、検知部２が画像センサである場合は、撮影した画像が予め記憶した心臓マッサージを行う救助者の動きのパターン情報と同じパターンの動きか否かを判別することにより、心臓マッサージの開始を判別する。
【００３５】
記憶部５２は、制御部５１が実行する各種情報処理のためのプログラムや「ＡＳＹＳ」「ＰＥＡ」の履歴情報、制御部５１が心臓マッサージの開始を判別するためのパターン情報などの情報を記憶する記憶デバイスである。記憶部５２は、例えばＨＤＤ等の磁気記憶デバイス、半導体記憶デバイス、光記憶デバイス、光磁気記憶デバイスなどを例示することができるが、これに限られず、情報を記憶することができる種々の装置を用いることができる。
【００３６】
報知部５３は、第１の表示領域３１及び第２の表示領域３２に表示した経過時間が予め設定されている時間を経過した場合に例えばブザーを出力することにより外部に報知するものである。すなわち、第１の表示領域３１の２分間のカウントダウンの表示がゼロになった場合、及び第２の表示領域３２の３分間のカウントダウンの表示がゼロになった場合に、ブザーで報知するものである。なお、報知部５３は、ブザーで報知するものであっても、発光や表示により報知するものであってもよい。また、報知部５３は、本実施形態においては、本体５に設けられているが、これに限られず、例えば表示部３に付設されていてもよく、又、表示部３の第１の表示領域３１又は第２の表示領域３２に表示されている経過時間を例えば点滅させ又は反転させるなどの特別な態様で表示することにより報知するものであってもよい。
【００３７】
インターフェース５４は、ＬＡＮ（Local Area Network）に接続された各種機器との間で通信可能なＬＡＮ−Ｉ／Ｆであり、例えば、ＵＳＢ（Universal Serial Bus）である。なお、インターフェース５４は、ネットワーク６を介して接続するものに限定されるものではなく、例えば、インターフェース５４は検知部２及び表示部３とそれぞれケーブルを介して直接接続されるものであっても良く、無線通信によって接続するものであってもよい。
【００３８】
また、無線受信部５５は、コントローラ４の無線送信部４１から例えば赤外線送信される情報を受け取るものである。なお、無線受信部５５と無線送信部４１との間の通信は赤外線通信に限定されるものでは無く、赤外線以外の光無線通信、無線ＬＡＮ、ＷｉＦｉ（Wireless Fidelity）、Ｂｌｕｅｔｏｏｔｈ(登録商標)などの種々の通信規格に基づく無線通信を適用することができる。また、コントローラ４と本体５との間の通信はこれに限定されるものではなく、通信ケーブルを用いた有線で接続されるものであってもよい。
【００３９】
次に、以上のように構成される心臓マッサージのタイマ装置１を用いて、主に制御部５１が行う第１の表示領域３１に心臓マッサージの開始からの時間経過を表示する処理（第１表示領域カウントダウン処理）の一例について、図４を参照しつつ説明する。この処理において、制御部５１は、検知部２が心臓マッサージの開始を示す情報を検知したか否かを判断する（Ｓ１０１）。具体的には、検知部２が検知した振動又は圧力変化、若しくは検知部２が撮影した画像が、予め記憶部５２に記憶されているパターン情報にマッチするか否か判断する。制御部５１は、検知部２が心臓マッサージの開始を示す情報を検知していないと判断すると（Ｓ１０１：Ｎｏ）そのまま処理を待機する。
【００４０】
一方、制御部５１は、検知部２が心臓マッサージの開始を示す情報を検知したと判断すると（Ｓ１０１：ＹＥＳ）、次に、第１の表示領域３１はカウントダウン表示中であるか否か判断する（Ｓ１０２）。第１の表示領域３１がカウントダウン表示中である場合（Ｓ１０２：ＹＥＳ）は、既にカウントダウンを開始しているので、そのままステップＳ１０４に処理を進める。一方、制御部５１が第１の表示領域３１がカウントダウン表示中でないと判断した場合（Ｓ１０２：Ｎｏ）は、新たに、第１の表示領域３１に２分間のカウントダウンを開始し（Ｓ１０３）、次にステップＳ１０４に処理を進める。
【００４１】
ステップＳ１０４では、第１の表示領域３１の表示がゼロであるか否か判断する。第１の表示領域３１の表示は心臓マッサージの開始を検知してから２分間のカウントダウンで表示されるものであるので、第１の表示領域３１の表示がゼロである場合は、心臓マッサージの開始から２分間経過した場合である。第１の表示領域３１のカウントがゼロでないと判断した場合は（Ｓ１０４：Ｎｏ）、そのまま待機し、第１の表示領域３１のカウントがゼロであると判断した場合は（Ｓ１０４：ＹＥＳ）、次に、報知部５３からブザーを出力してカウントがゼロになったことを報知する（Ｓ１０５）。これによって、心臓マッサージを行っている医師などは、心臓マッサージの開始から２分経過したことを確実に認識することができ、心臓マッサージを一時中断して脈拍をチェックするタイミングであることがわかる。
【００４２】
報知部５３からブザーの出力があると（Ｓ１０５）、次に、制御部５１は、コントローラ４に設けられている第１リセットボタン４２ｄが押下されたか否か判断する（Ｓ１０６）。すなわち、制御部５１は、コントローラ４から第１リセットボタン４２ｄの押下があった旨の信号を受けたか否か判断する。未だ第１リセットボタン４２ｄの押下がなされていないと判断したときは（Ｓ１０６：Ｎｏ）、第１リセットボタン４２ｄの押下があるまで処理を待機する。一方、第１リセットボタン４２ｄの押下があったと判断したときは（Ｓ１０６：ＹＥＳ）、報知部５３のブザーを停止するとともに、第１の表示領域３１の表示をリセットする（Ｓ１０７）。第１の表示領域３１の表示がリセットされると、第１の表示領域３１の表示は、例えば「２：００」が表示されて、カウントが停止した状態になる。そして、その後、このルーチンが繰り返され、心臓マッサージが開始されたときに、第１の表示領域３１のカウントダウンが開始される。
【００４３】
このように、本実施形態の心臓マッサージのタイマ装置１によると、検知部２の検知に基づいて、人為的な動作を必要とせずに、心臓マッサージの開始からの時間経過をカウントダウンで計測することができるので、看護師がスタートの操作をする作業負担を減らすことができるとともに、スタートのし忘れによって、心臓マッサージの開始からのカウントダウンができていない状況を防止できる。
【００４４】
次に、心臓マッサージのタイマ装置１を用いて、主に制御部５１が行う第２の表示領域３２に心臓マッサージの開始からの時間経過を表示する処理（第２表示領域カウントダウン処理）の一例について図５を参照しつつ説明する。この処理において、制御部５１は、まず、コントローラ４のスタートボタン４２ａの押下があったか否か判断する（Ｓ２０１）。スタートボタン４２ａは、前述の通り、昇圧剤の投与があった場合に押下されるボタンである。制御部５１は、スタートボタン４２ａの押下が無かったと判断すると（Ｓ２０１：Ｎｏ）そのまま処理を待機する。
【００４５】
一方、制御部５１は、スタートボタン４２ａの押下があったと判断すると（Ｓ２０１：ＹＥＳ）、次に、第２の表示領域３２はカウントダウン表示中であるか否か判断する（Ｓ２０２）。第２の表示領域３２がカウントダウン表示中である場合（Ｓ２０２：ＹＥＳ）は、既にカウントダウンを開始しているので、そのままステップＳ２０４に処理を進める。一方、制御部５１が第２の表示領域３２がカウントダウン表示中でないと判断した場合（Ｓ２０２：Ｎｏ）は、新たに、第２の表示領域３２に３分間のカウントダウンを開始し（Ｓ２０３）、次にステップＳ２０４に処理を進める。
【００４６】
ステップＳ２０４では、第２の表示領域３２の表示がゼロであるか否か判断する。第２の表示領域３２の表示は、昇圧剤の投与があった場合に押下されるスタートボタン４２ａの押下から３分間をカウントダウンで表示されるものであるので、第２の表示領域３２の表示がゼロである場合は、昇圧剤の投与から３分間経過しており、新たに昇圧剤の投与が可能であることを示している。第２の表示領域３２のカウントがゼロでないと判断した場合は（Ｓ２０４：Ｎｏ）、そのまま待機し、第２の表示領域３２のカウントがゼロであると判断した場合は（Ｓ２０４：ＹＥＳ）、次に、報知部５３からブザーを出力して第２の表示領域３２のカウントがゼロになったことを報知する（Ｓ２０５）。これによって、心臓マッサージを行っている医師などは、昇圧剤の投与から３分経過したことを確実に認識することができ、必要に応じて昇圧剤を追加投与するか判断することができる。
【００４７】
報知部５３からブザーの出力があると（Ｓ２０５）、次に、制御部５１は、コントローラ４に設けられている第２リセットボタン４２ｃが押下されたか否か判断する（Ｓ２０６）。すなわち、制御部５１は、コントローラ４から第２リセットボタン４２ｃの押下があった旨の信号を受けたか否か判断する。未だ第２リセットボタン４２ｃの押下がなされていないと判断したときは（Ｓ２０６：Ｎｏ）、第２リセットボタン４２ｃの押下があるまで処理を待機する。一方、第２リセットボタン４２ｃの押下があったと判断したときは（Ｓ２０６：ＹＥＳ）、報知部５３のブザーを停止するとともに、第２の表示領域３２の表示をリセットする（Ｓ２０７）。第２の表示領域３２の表示がリセットされると、第２の表示領域３２の表示は、例えば「３：００」が表示されて、カウントが停止した状態になる。そして、その後、このルーチンが繰り返され、スタートボタン４２ａの押下があったときに、第２の表示領域３２のカウントダウンが開始される。
【００４８】
このように、本実施形態の心臓マッサージのタイマ装置１によると、昇圧剤の投与があった場合に入力されるスタートボタン４２ａの入力からの時間経過を表示可能な第２の表示領域３２を含むので、昇圧剤の投与からの時間経過を表示することができ、表示部３を視認することで、容易に心臓マッサージの開始からの時間経過及び昇圧剤の投与からの時間経過の２つの時間経過を確認することができ、これらの時間経過の情報を治療を行っている者全員で共有することができる。
【００４９】
次に「ＡＳＹＳ」又は「ＰＥＡ」の履歴情報を記憶する処理（履歴情報記憶処理）の一例について、図６を参照しつつ説明する。この処理では、まず、制御部５１は、第１リセットボタン４２ｄの押下があったか否か判断する（Ｓ３０１）。第１リセットボタン４２ｄの押下が無かったと判断すると（Ｓ３０１：Ｎｏ）、第１リセットボタン４２ｄの押下があるまで処理を待機する。一方、第１リセットボタン４２ｄの押下があったと判断すると（Ｓ３０１：ＹＥＳ）次に判定情報入力部４２ｅの「ＡＳＹＳ」ボタンの押下があったか否か判断する（Ｓ３０２）。「ＡＳＹＳ」ボタンの押下があったと判断すると（Ｓ３０２：ＹＥＳ）、「ＡＳＹＳ」及び当該時刻を記憶部５２に記憶させ（Ｓ３０３）処理を終了させる。
【００５０】
一方、「ＡＳＹＳ」ボタンの入力が無かったと判断すると（Ｓ３０２：Ｎｏ）、次に、判定情報入力部４２ｅの「ＰＥＡ」ボタンの押下があったか否か判断する（Ｓ３０４）。「ＰＥＡ」ボタンの押下があったと判断すると、「ＰＥＡ」及び当該時刻を記憶部５２に記憶させ（Ｓ３０５）処理を終了させる。一方、「ＰＥＡ」ボタンの押下が無かったと判断すると、「ＡＳＹＳ」「ＰＥＡ」のいずれのボタンも押下されていないので、入力を求めるために、例えば表示部３のエラー表示領域を点滅表示するなどして、「ＡＳＹＳ」「ＰＥＡ」の判断した情報の入力を求める（Ｓ３０６）。そして、再度、ステップＳ３０２に戻って処理を繰り返す。
【００５１】
次に図３、図７及び図８を参照しつつ、履歴情報を確認する処理を説明する。コントローラ４に設けられた履歴要求ボタン４２ｆは図３に示すように、中央の切り替えボタンと上下の送りボタンとから成っている。図２に示すように、第１の表示領域３１に時間経過を示すカウントダウンの情報が表示されているときに、切り替えボタンを押下すると、図７及び図８に示すように、記憶部５２に記憶されている履歴情報のうち直近の履歴情報が表示される。具体的には、日時表示領域３３に直近の「ＡＳＹＳ」又は「ＰＥＡ」の判断をした日時が表示され、第１の表示領域３１に「ＡＳＹＳ」「ＰＳＡ」のいずれかが表示される。
【００５２】
そして、上側の送りボタンを押下することにより、一つ古いの履歴情報を表示し、上側の送りボタンを押下することにより、一つ新しい履歴情報を表示する。
【００５３】
このように、本実施形態の心臓マッサージのタイマ装置１によると、患者の状態が「ＡＳＹＳ」であるか「ＰＥＡ」であるかの情報を、簡単に記録することができ、また、「ＡＳＹＳ」又は「ＰＥＡ」の履歴を簡単に確認することができる。
【００５４】
〔第２の実施形態〕
次に、本発明の心臓マッサージのタイマ装置の第２の実施形態について、図９及び図１０を参照しつつ説明する。なお、第１の実施形態の心臓マッサージのタイマ装置１と同一の構成は同一の符号を付して説明を省略する。本実施形態の心臓マッサージのタイマ装置１は、図９に示すように、本体５に心電図計７が接続されている。具体的には心電図計７が本体５のインターフェース５４に接続されており、インターフェース５４を介して制御部５１が心電図計７から少なくとも心静止であるか否かの心電図情報の入力を受け付ける。なお、本発明の「心電図情報入力手段」は、本実施形態においてはインターフェース５４及びインターフェース５４を介して接続される制御部５１が相当するが、これに限定されるものではない。
【００５５】
第２の実施形態の心臓マッサージのタイマ装置１を用いて、次に「ＡＳＹＳ」又は「ＰＥＡ」の履歴情報を記憶する処理の一例（履歴情報記憶処理）について、図１０を参照しつつ説明する。この処理では、まず、制御部５１は、第１リセットボタン４２ｄの押下があったか否か判断する（Ｓ４０１）。第１リセットボタン４２ｄの押下が無かったと判断すると（Ｓ４０１：Ｎｏ）、第１リセットボタン４２ｄの押下があるまで処理を待機する。一方、第１リセットボタン４２ｄの押下があったと判断すると（Ｓ４０１：ＹＥＳ）、次に、制御部５１は、検知部２が心臓マッサージの開始を示す情報を検知したか否かを判断する（Ｓ４０２）。具体的には、検知部２が検知した振動又は圧力変化、若しくは検知部２が撮影した画像が、予め記憶部５２に記憶されているパターン情報にマッチするか否か判断する。制御部５１は、検知部２が心臓マッサージの開始を示す情報を検知していないと判断すると（Ｓ４０２：Ｎｏ）そのまま処理を待機する。
【００５６】
一方、心臓マッサージの開始を示す情報を検知したと判断すると（Ｓ４０２：ＹＥＳ）、心電図計７から入力された心電図情報が心静止を示すものであるか否か判断される（Ｓ４０３）。具体的には心静止の状態のときには心電図計７はフラットとなっているので、フラットの状態であるか否か判断される。心電図情報が心静止を示している場合は、「ＡＳＹＳ」の情報とともに当該時刻を関連付けて記憶部５２に記憶させる（Ｓ４０４）。一方、心電図情報が心静止ではない場合は、心静止ではなく、電気ショックを与えずに心臓マッサージが開始されたのであるから、「ＰＥＡ」の情報とともに当該時刻を関連付けて記憶部５２に記憶させる（Ｓ４０５）。
【００５７】
以上のように本実施形態の心臓マッサージのタイマ装置１によると、人為的に「ＡＳＹＳ」又は「ＰＥＡ」の別を入力することなく履歴情報を記憶することができ、看護師が入力する負担を減らすことができるとともに、記録し忘れによって履歴情報が不明になる状況を防止できる。特に心静止は心電図情報がフラットになるため複雑な情報処理をすることなく、心静止と判断することができ、心静止でない場合に除細動でなく心臓マッサージを開始する場合は、ＰＥＡであるので、「ＡＳＹＳ」又は「ＰＥＡ」の履歴情報を正確に記憶することができる。
【００５８】
なお、本発明の実施の形態は上述の各形態に限ることなく、本発明の思想の範囲を逸脱しない範囲で適宜変更することができることは云うまでもない。
【産業上の利用可能性】
【００５９】
本発明に係る心臓マッサージのタイマ装置１は、主に特に、病院など設備の整った環境で、医師などの有資格者により行われる二次救命措置の際に行われる心臓マッサージのタイマ装置１として、好適に用いることができる。
【符号の説明】
【００６０】
１      心臓マッサージのタイマ装置
２      検知部
３      表示部
３１    第１の表示領域
３２    第２の表示領域
４２    入力部
４２ａ  スタートボタン（スタート情報入力部）
４２ｅ  判定情報入力部
５１    制御部
５２    記憶部
５４    インターフェース（心電図情報入力手段）
【図１】
2015051222.tif 000003
【図２】
2015051222.tif 000004
【図３】
2015051222.tif 000005
【図４】
2015051222.tif 000006
【図５】
2015051222.tif 000007
【図６】
2015051222.tif 000008
【図７】
2015051222.tif 000009
【図８】
2015051222.tif 000010
【図９】
2015051222.tif 000011
【図１０】
2015051222.tif 000012